(57)【要約】      （修正有）【課題】照明機能を備えるコネクタを提供する。【解決手段】絶縁ハウジング１を有し、絶縁ハウジングの前端に突き合わせ部２を設け、後部端は伝送ケーブル４に接続し、突き合わせ部２に導電端子組３を内設し、導電端子組は伝送ケーブルと電気接続し、絶縁ハウジングは発光素子５を内設し、発光素子は伝送ケーブルに電気接続していて、かつ絶縁ハウジングは突き合わせ部近端の側面側にくり抜き部１１を内設し、くり抜き部は突き合わせ部の内部に連絡する。発光素子より光源を突き合わせ部に出射することによって、コネクタ１０に照明機能を実現し、かつ電気導通をチェックする指示機能を提供できる。【選択図】図３
0003180483.tif 000002
【実用新案登録請求の範囲】
【請求項１】
絶縁ハウジングを有し、前記絶縁ハウジングの前端に突き合わせ部を設け、前記突き合わせ部に導電端子組を内設し、前記絶縁ハウジングは伝送ケーブルに接続し、前記伝送ケーブルは前記導電端子組と電気接続し、
前記絶縁ハウジングに発光素子を内設し、前記発光素子は前記伝送ケーブルに電気接続し、前記絶縁ハウジングは前記突き合わせ部近端の側面にくり抜き部を設け、前記くり抜き部は前記突き合わせ部の内部にて連絡することを特徴とする、照明機能を備えるコネクタ。
【請求項２】
前記絶縁ハウジングの前記くり抜き部に端子台を設け、前記端子台の内部は複数のとおり穴を穿設し、前記とおり穴の内部は導光体を設けることを特徴とする、請求項１記載の照明機能を備えるコネクタ。
【請求項３】
前記絶縁ハウジングに電気回路板を内設し、かつ前記伝送ケーブルと、前記導電端子組と、前記発光素子は前記電気回路板と電気接続することを特徴とする、請求項１記載の照明機能を備えるコネクタ。
【考案の詳細な説明】
【技術分野】
【０００１】
本考案は照明付きのコネクタに関し、特に照明機能を備えるコネクタに関する。
【背景技術】
【０００２】
通常、携帯電話機、パソコン、液晶表示装置または液晶テレビなど様々な装置は、すべて信号または電源に突き合わせて使用のコネクタを設置しなければならない。さらに、この種のコネクタは汎用シリアルバス（ＵＳＢ）装置、ミニ汎用シリアルバス（Ｍｉｎｉ  ＵＳＢ）装置またはマイクロ汎用シリアルバス（Ｍｉｃｒｏ  ＵＳＢ）装置などがある。さらに、コネクタの設計は、方向性と体積の微小化という特性が要されている。
【考案の概要】
【考案が解決しようとする課題】
【０００３】
よって、使用者が照度不足の環境でコネクタを相手側のコネクタに接続するときは、位置を照準して突き合わせることが困難という問題に直面し、使用者にとって極めて不便である。このため、前述問題は当業者が一刻も早く改善を図りたい課題である。
【課題を解決するための手段】
【０００４】
本考案は、コネクタに光源を出射する発光素子を内設しており、コネクタが照明機能を有すると共に、使用者に導通確認の指示機能を兼ね備えた、使用に利便な長所を有する照明機能を備えるコネクタの提供を主な目的とする。
【０００５】
前述目的を達成するため、本考案のコネクタは絶縁ハウジングを有し、絶縁ハウジングの前端に突き合わせ部突き合わせ部を設け、かつ突き合わせ部に導電端子組を内設し、絶縁ハウジングは伝送ケーブルに接続され、伝送ケーブルは導電端子組と電気接続し、絶縁ハウジングに発光素子を内設し、発光素子は伝送ケーブルに接続していて、かつ絶縁ハウジングは突き合わせ部近端の側面側にくり抜き部を内設し、くり抜き部は突き合わせ部の内部にて連絡する。
【０００６】
前述照明機能を備えるコネクタの絶縁ハウジングに備えるくり抜き部は端子台を設け、端子台の内部に複数のとおり穴を穿設し、とおり穴の内部に導光体を設ける。
【０００７】
前述照明機能を備えるコネクタの絶縁ハウジングは電気回路板を内設し、かつ伝送ケーブルと、導電端子組と、発光素子は電気回路板と電気接続されている。
【図面の簡単な説明】
【０００８】
【図１】本考案の好ましい実施例１による立体外観図（その１）である。
【図２】本考案の好ましい実施例１による立体外観図（その２）である。
【図３】本考案の好ましい実施例１による断面図である。
【図４】本考案の実施例の好ましい実施例１によるブロック図である。
【図５】考案の実施例の好ましい実施例１による実施態様図である。
【図６】本考案の好ましい実施例２による断面図である。
【図７】本考案の好ましい実施例３による立体外観図（その１）である。
【図８】本考案の好ましい実施例３による立体外観図（その２）である。
【図９】考案の実施例の好ましい実施例３による実施態様図である。
【考案を実施するための形態】
【０００９】
以下、添付図面を参照して本校案の実施の形態を詳細に説明する。
【実施例１】
【００１０】
図１ないし４を参照する。図から明かのように、本考案の一好ましい実施例において、コネクタ１０は絶縁ハウジング１を有し、絶縁ハウジング１の前端は突き合わせ部２を設け、突き合わせ部２に導電端子組３を内設し、絶縁ハウジング１を伝送ケーブル４に接続し、伝送ケーブル４は信号ケーブルを介して導電端子組３に電気接続し、かつ絶縁ハウジング１に発光素子５を内設し、発光素子５は伝送ケーブル４と電気接続し、絶縁ハウジング１は突き合わせ部２近端の側面側にくり抜き部１１を設け、くり抜き部１１を突き合わせ部２に内設する。絶縁ハウジング１は保護層９によって覆われ、発光素子５は発光ダイオード（ＬＥＤ）を実施する。
【００１１】
引き続き、図３ないし５を参照する。図から明かのように、発光素子４に電気導通することによって、発光素子５より光源を出射し、光源は順を追ってくり抜き部１１及び突き合わせ部２を通過して、導電端子組３の隙間を介して外部に出射することによって、本考案の照明機能を実現すると共に、信号の導通指示機能を兼ね備える。
【実施例２】
【００１２】
図６、実施例２を参照する。図から明かのように、実施例２と実施例１と異なる点は、コネクタ２０は絶縁ハウジング１に備えるくり抜き部１１の内部はさらに端子台７を設けており、端子台７の内部は複数のとおり穴７１を穿設していて、かつとおり穴７１に導光体８を内設しており、発光素子５の出射光源は導光体８の誘導に従い、突き合わせ部２の内部に入射して、照明機能と指示機能とを兼ね備える。
【実施例３】
【００１３】
図７ないし９、実施例３を参照する。図から明かのように、実施例３と実施例１と異なる点は、コネクタ３０の絶縁ハウジング１に電気回路板６を内設していて、かつ伝送ケーブル４、導電端子組３、発光素子５はすべて電気回路板６に電気接続しており、くり抜き部１１は端子台７を内設し、端子台７の内部は複数のとおり穴７１を穿設し、とおり穴７１に導光体８を内設し、導光体８は発光素子５の向き場所に入射端８１を設け、入射端８１は発光素子５遠端もう一つの側面は出射端８２を設けられ、出射端８２は突き合わせ部２の内部に対向し、かつ導電端子組３も同じくとおり穴７１と突き合わせ部２の内部に固定する。これにより、発光素子５より光源を出射し、光源は導光体８の入射端８１より入射し、かつ出射端８２より突き合わせ部２の内部に出射し、導光体８によって、光源を突き合わせ部２の内部に誘導し、コネクタ３０が照明機能と指示機能を兼ね備えることができる。
【符号の説明】
【００１４】
１０    コネクタ
２０    コネクタ
３０    コネクタ
１      絶縁ハウジング
１１    くり抜き部
２      突き合わせ部
３      導電端子組
４      伝送ケーブル
５      発光素子
６      電気回路板
７      端子台
７１    とおり穴
８      導光体
８１    入射端
８２    出射端
９      保護層
【図１】
0003180483.tif 000003
【図２】
0003180483.tif 000004
【図３】
0003180483.tif 000005
【図４】
0003180483.tif 000006
【図５】
0003180483.tif 000007
【図６】
0003180483.tif 000008
【図７】
0003180483.tif 000009
【図８】
0003180483.tif 000010
【図９】
0003180483.tif 000011